【手続補正書】
【提出日】平成18年6月13日(2006.6.13)
【手続補正１】
【補正対象書類名】明細書
【補正対象項目名】全文
【補正方法】変更
【補正の内容】
【書類名】  明細書
【発明の名称】股関節の運動を促進する履き物
【特許請求の範囲】
【請求項１】
爪先側と土踏まず付近と踵側から成る履き物の底部の爪先側に略円板状の回動板を設け、該回動板は前記土踏まず付近に回動軸で軸着し、前記回動軸の軸心と履き物の先端を結ぶ基準線に対し横方向に約４５度の回動範囲内で回動を制限する回動板用規制機構を設けたことを特徴とする股関節の運動を促進する履き物。
【請求項２】
爪先側と土踏まず付近と踵側から成る履き物の底部の爪先側に複数の円柱状のローラを設け、該複数のローラは履き物の横方向に回動する様に取り付けると共に、該複数のローラは外周面をテーパーに形成するか又は複数のローラの軸芯の延長線を土踏まず付近で交差させ、夫々のローラは約４５度の回動範囲内に規制するローラ用規制機構を設けたことを特徴とする股関節の運動を促進する履き物。
【請求項３】
請求項１又は請求項２の股関節の運動を促進する履き物において、回動板又はローラは横方向に荷重が掛かった時に可動し、無負荷及び荷重軽減時に復帰する棒状又は板状の戻りバネによる回動板用復帰機構又はローラ用復帰機構を設けたことを特徴とする股関節の運動を促進する履き物。
【発明の詳細な説明】
【０００１】
【技術分野】
本発明は、主に運動に使用する運動靴や一般の靴、サンダル等の履き物に関するものであり、更に詳細には、歩く、走る動作と共に履き物の足の軸を中心とした回動又は回転運動を促すことにより股関節の運動を促し、腰痛、関節痛の解消や運動能力の向上に寄与する股関節の運動を促進する履き物に関するものである。
【０００２】
【従来の技術】
従来から、回転ローラーを使用した履き物やスケート靴等はあり、また、ローラーを使用した扁平足防止のための靴等があるが、主に前後方向に直線的な動きをさせるものであり、また、靴底に回転板を用いたものもあるが、足の甲を軸足回転させ回転を規制したものは無く、また、回転部の可動部が復帰し繰り返し動作を促すものは無かった。
【０００３】
例えば、ローラーサイクル健康具としてのものは、シューズをはいても土踏まずでローラーサイクル健康具のローラーをじかに良い位置にとらえられるようにしたもので、シューズの土踏まず部１を切り欠いたようにして、そこに布２を貼り付けたものや（特許文献１参照）や、ボールローラーを装着したものとして、踵台（１）を設け、踵台（１）の前部下面中央に自由に回転するボールローラー（２）を装着し、踵台（１）の中心部下面に自由に回転するボールローラー（３）（３）を並列して装着し、踵台（１）の後部下面中央に自由に回転するボールローラー（４）を装着し、ベルト継ぎ手（６）を介してベルト部（５）を設け、そのベルト部（５）の両端を踵台（１）の左右側面に取り付けたもの（特許文献２参照）や、傾斜角を有するものとして、靴底の表面形状を爪先先端部から踵側に向かって、また踵後端部からも爪先側に向かって、靴底本体に対してそれぞれ５度〜５０度の同一、または違う傾斜角度で厚くして、交わった所が一番厚く頂点部になる靴底で接地面が前傾斜面と後傾斜面の二面からなり、側面がＶ字型、または偏形Ｖ字型の凸形状に形成したことを特徴とする靴の底である。尚、Ｖ字型の頂点部を半径２ｃｍ以下の円弧で丸めたものも含むもの（特許文献３参照）が開示されている。
【特許文献１】実開平５−７０３０７号公報
【特許文献２】特開平９−２５３２６９号公報
【特許文献３】特開平１１−２８５４０１号公報
【０００４】
【発明が解決しようとする課題】
然し乍ら、特許文献１に記載のものは、土踏まず部１を切り欠いて、そこにローラーをあてがうだけのもので、特許文献２に記載のものは、踵台（１）にボールローラー（２）を装着したものであり、全方向に自在にボールローラーが回転するもので制止が効かないものであり、更に、特許文献３に記載のものは、底部に単に傾斜角度をもたせたもので横方向への移動はできないものである。
【０００５】
つまり、古来から人間は主に土の上を素足で歩いてきたものであるが、次第に履き物を履くようになり、現代では主にコンクリートの上を滑らない材質でできた靴底の履き物を履いて歩いており、歩き方はできるだけ真っ直ぐな歩行を心がけ、従来のガニ股歩きが少なくなってきたように思われる。
【０００６】
これらの事から現代人は歩行時に股関節の回動運動量が減ってきていると思われ、古来土の上を草履等で歩いている時には爪先の荷重が土に加わり、土の粒子が滑る或いは転がるためにより爪先等の回動を促進したが、現代においてコンクリートの上をゴム底の靴で歩いた場合には靴の底部が回動しにくく、強いては股関節が回動し難いケースが多くなってきていると言えるものである。
【０００７】
これらのことから、歩行時の後ろ足（蹴り足）を足の軸で回動を促すことにより、股関節の回動運動（多軸関節である大腿骨頭の動き）を促し、健康に役立てようとするものであり、近年、股関節の運動を促進するため、高校球児が回転板の上での練習を行ったり、スポーツ界では股関節を有効に回動される日本古来の武道家の歩き方を取り入れた練習方法等が研究及び推進されつつあり、本来の人間の股関節の回動運動機能を回復、または、高めることは有用なものと考えられる。
【０００８】
【課題を解決するための手段】
本発明の股関節の運動を促進する履き物は、前述の問題点に鑑み、鋭意研鑽の結果、爪先側と土踏まず付近と踵側から成る履き物の底部の爪先側に略円板状の回動板を設け、回動板は土踏まず付近に回動軸で軸着し、回動板は回動軸の軸心と先端を結ぶ基準線に対し横方向に約４５度の回動範囲内で回動を規制する回動板用規制機構を設けたものであり、更に、爪先側と土踏まず付近と踵側から成る履き物の底部の爪先側に複数の円柱状のローラを設け、複数のローラは履き物の横方向に回動する様に取り付けると共に、複数のローラは外周面をテーパーに形成するか又は複数のローラの軸芯の延長線を土踏まず付近で交差させ、ローラは約４５度の回動範囲内に規制するローラ用規制機構を設けたものであり、更には、回動板又はローラは横方向に荷重が掛かった時に可動し、無負荷及び荷重軽減時に復帰する棒状又は板状の戻りバネによる回動板用復帰機構又はローラ用復帰機構を設けたものである。
【０００９】
【発明を実施するための最良の形態】
以下、本発明の股関節の運動を促進する履き物の実施例を図面により具体的に説明すると、図１は本発明の股関節の運動を促進する履き物の実施例の平常時の斜視図であり、図２は本発明の股関節の運動を促進する履き物の実施例の可動時の斜視図であり、図３は本発明の股関節の運動を促進する履き物の次実施例の斜視図であり、図４は本発明の股関節の運動を促進する履き物の次実施例の（ａ）は平常時（ｂ）は可動時の要部断面図であり、図５は本発明の股関節の運動を促進する履き物の他の実施例の（ａ）は平常時（ｂ）は可動時（ｃ）は更にその他の実施例の平常時の要部断面図であり、図６は武道家の歩行足裏の負荷状態のイメージ図であり、図７は本発明の股関節の運動を促進する履き物の実施例での足裏の基準線を示すイメージ図であり、図８は股関節と足の動きを表すイメージ図である。
【００１０】
本発明は、主に運動に使用する運動靴や一般の靴、サンダル等の履き物に関するものであり、更に詳細には、歩く、走る動作と共に履き物の足の軸を中心とした回動又は回転運動を促す事により股関節の運動を促し、腰痛、関節痛の解消や運動能力の向上に寄与する股関節の運動を促進する履き物に関するものであり、請求項１に記載の股関節の運動を促進する履き物は、爪先側と土踏まず付近と踵側から成る履き物１の底部２の爪先側に略円板状の回動板３を設け、該回動板３は前記土踏まず付近に回動軸４で軸着し、前記回動板３は回動軸４の軸心と先端を結ぶ基準線Ｘに対し横方向に約４５度の回動範囲内で回動を規制する回動板用規制機構５を設けたことを特徴とするものである。
【００１１】
更に、請求項２に記載の股関節の運動を促進する履き物は、爪先側と土踏まず付近と踵側から成る履き物１１の底部１２の爪先側に複数の円柱状のローラ１３を設け、該複数のローラ１３は履き物の横方向に回動する様に取り付けると共に、該複数のローラ１３は外周面をテーパーに形成するか又は複数のローラ１３の軸芯の延長線を土踏まず付近で交差させ、夫々のローラ１３は約４５度の回動範囲内に規制するローラ用規制機構１４を設けたことを特徴とするものである。
【００１２】
更には、請求項３に記載の股関節の運動を促進する履き物は、請求項１又は請求項２の股関節の運動を促進する履き物において、回動板３又はローラ１３は横方向に荷重が掛かった時に可動し、無負荷及び荷重軽減時に復帰する棒状又は板状の戻りバネ６ａ．１５ａによる回動板用復帰機構６又はローラ用復帰機構１５を設けたことを特徴とするものである。
【００１３】
【実施例】
即ち、本発明の股関節の運動を促進する履き物の実施例は、図１に図示する如く、実施例の履き物１は一般的に履かれている靴であり、履き物１の底部２は爪先側と土踏まず付近と踵側から成るものである。
【００１４】
そして、回動板３は略円板状のもので底部２の爪先側に積層しており、土踏まず付近に回動軸４で軸着されているもので、回動軸４を中心として回動板３は後述する回動板用規制機構５で規制される範囲で回動するものであり、図示しないが、ここでの回動板３は履き物１の底部２と回動軸４を中心としてスムーズに回動するように、ボールベアリングや、ボール、ローラ、スライドバー等の機構を用いても、取り外しを可能とした構造でも構わないものである。
【００１５】
次に、回動板用規制機構５は、回動板３の踵側に若干の間隙を有して底部２に厚みを設けて、回動板３が回動して側面と側面が当接することで規制されるもので、回動軸４の軸心と先端を結ぶ基準線Ｘに対し横方向に約４５度の回動範囲内で回動を規制するものであり、ここでの動きは基準線Ｘ方向から中心線Ｘａ方向の片側を示す。図示しないが基準線Ｘを中心に左右に両方向に可動を可能としても良く、このときの基準線Ｘを中心とした両側の合計４５度を回動範囲内とする。また、後述する戻りバネ６ａも基準線Ｘを中心として両側に設けても良いものである。
【００１６】
更に、次実施例では、図３に図示する如く、前述と同様な履き物１１の底部１２の爪先側に複数の円柱状のローラ１３を履き物１１の横方向に回動する様に、つまり、縦方向に並設させて取り付けたものである。
【００１７】
更には、複数のローラ１３は外周面をテーパーに形成するか、又は、複数のローラ１３の夫々の軸芯の延長線Ｙａを土踏まず付近で交差する交差点Ｙで交差させているものである。
【００１８】
そして、ローラ用規制機構１４は、複数のローラ１３の回動を約４５度の回動範囲内に規制するものであり、図５（ｃ）に図示する実施例では、回転ローラ１３にカム頭１３ｄを設け、カム頭１３ｄが可動できる凹所を履き物１１の底面に形成して、凹所をカム頭１３ｄの可動範囲内で自由に動作するものであり、更には、複数個のローラ１３を組み合わせて使用する場合にはお互いの回転同期をローラ１３のローラ軸１３ａに歯車（図示しない）を組合せる等により同期機構を採用しても、また、ローラ１３のローラ軸１３ａに減速歯車等を用いた減速する機構を用いても構わないものである。
【００１９】
更には、実施例の棒状又は板状の戻りバネ６ａによる回動板用復帰機構６は、回動板３の横方向に荷重が掛かり、回動した状態から無負荷及び荷重軽減時に復帰させるものであり、図１及び図２に図示する如く、棒状又は板状の戻りバネ６ａの両端は回動板側スプリング受け６ｂと底部側スプリング受け６ｃに固定して中程を回動軸４に捲回させており、図２に図示する回動板３が荷重を受けて回動した状態で回動板側スプリング受け６ｂで受けられていた力が、無負荷状態になると戻りバネ６ａの弾性により、回動板３の中心線Ｘａが基準線Ｘの位置に戻るものであり、また、戻りバネ６ａには強度調整機能を付加して強度を調節できるようにしても、戻りバネ６ａは金属製以外にプラスチックを用いても良く、回動板３や履き物１である靴の底部２と一体化させて組み込んだものでも構わないものである。
【００２０】
そして、図２に図示するものは、図１の履き物１の回動板３に横方向の負荷が掛かった状態を示し、回動板用規制機構５である底部２の厚みの側面に回動板３の側面があたり回動が規制され静止位置の基準線Ｘが回動位置の中心線Ｘａの位置に回動板３が移動し停止したものであり、回動前の基準線Ｘと回動後の中心線Ｘａが回転角（矢示）を形成するものであり、また、回動板用規制機構５である底部２の厚みの位置を可変して間隙を調整することにより回動板３の回転角を調整できるものである。
【００２１】
更には、図４はローラ１３のローラ用規制機構１４及びローラ用復帰機構１５とを兼ね備えた構造の周辺の要部であり、（ａ）は履き物１１の底部１２にローラ１３のローラ軸１３ａが支えられ、ローラ１３の外周辺にはローラスプリング受け１３ｂが突設され、該ローラスプリング受け１３ｂの内側に棒状又は板状の戻りバネ１５ａが接触状態で取り付けられ設けられており、戻りバネ１５ａが弾性を付与しないローラ１３が無負荷時の状態であり、（ｂ）の回転ローラ１３に時計回り方向の負荷が掛かった状態では、回転ローラ１３は時計回り方向（矢示）に回転しローラスプリング受け１３ｂは戻りバネ１５ａを押し下げるものである。
【００２２】
次に、図５（ａ）（ｂ）に図示するものは、ローラ１３のローラ用規制機構１４とローラ用復帰機構１５とを兼ね備えたその他の実施例のローラ１３の周辺を示し、（ａ）は無負荷時の定位置で有り、（ｂ）は時計回り方向の荷重が掛かった状態であり、履き物１１の底部１２にローラ１３がローラ軸１３ａで支えられると共にカム１３ｃが取り付けられ、該カム１３ｃに接触するように棒状又は板状の戻りバネ１５ａが設けられており、戻りバネ１５ａはローラ１３が時計方向（矢示）に回転するとカム１３ｃは戻りバネ１５ａを押し上げるもので、無負荷状態になると戻りバネ１５ａの弾性により元に戻るものであり、更に、図５の（ｃ）に図示するものは、その他の実施例で、ローラ１３のローラ軸１３ａに棒状又は板状の戻りバネ１５ｂを捲回させており、戻りバネ１５ｂの弾性に抗して回動したローラ１３を無負荷状態に成ると戻りバネ１５ｂの弾性により元の位置に戻すものである。
【００２３】
そして、図６に図示するものは、日本古来の武道家の歩行時の足裏Ａａの負荷部の移動のイメージであり、（ａ）は前に踏み出した時の足裏の負荷を示し、（ｂ）（ｃ）はその後の状態であり、足裏Ａａの図中の濃い部分が負荷の多く掛かった状態を示し、（ａ）では負荷部Ａａａが踵にあり、（ｂ）では足裏Ａａの側面に負荷部Ａａａに移り、（ｃ）での後ろ足にさしかかる点では爪先に負荷部Ａａａが表れると共に、（ａ）と比べると多少爪先が内側を向く傾向があるものである。
【００２４】
次に、図７は本発明の股関節の運動を促進する履き物による足裏Ａａの位置関係を示し、（ａ）は足を踏みだして踵を付いた状態の基準線Ｘを示し、（ｂ）は踏み出した足を踏みしめ反対の足を踏み出した状態での元足の中心線Ｘａを示し、回転角（矢示）を形成するものである。
【００２５】
更には、図８は踏み出した足Ａを踏みしめ反対の足を踏み出した状態での元足を示し、この時の足Ａの回転の動き（矢示）を示すもので、この動きに際した股関節Ｂの回転の動き（矢示）を示すものであり、足Ａの軸のひねりは円弧状態と成るものである。
【００２６】
【発明の効果】
股関節の回動運動をスポーツに取り入れた場合により多くの股関節周辺の筋肉を使用することにより疲れにくく、安定した力が発揮されることが知られており、本発明は前述の構成のように、履き物の底部をわずかに回動運動させることにより股関節の運動を促すものであり、現代人にとって動きの少ない股関節の動きは血行不良等による腰痛等を改善し、より健康を保つことに繋がると考えられ、また、スポーツ等で応用が拡がりつつある股関節の回動を意識したパワーアップ効果を特殊な方法を使わず靴を履き歩く、走る等により運動能力の向上がより効果的に発揮出来るものと考えられ、極めて有用な発明である。
【００２７】
【図面の簡単な説明】
【図１】
図１は本発明の股関節の運動を促進する履き物の実施例の平常時の斜視図である。
【図２】
図２は本発明の股関節の運動を促進する履き物の実施例の可動時の斜視図である。
【図３】
図３は本発明の股関節の運動を促進する履き物の次実施例の斜視図である。
【図４】
図４は本発明の股関節の運動を促進する履き物の次実施例の（ａ）は平常時（ｂ）は可動時の要部断面図である。
【図５】
図５は本発明の股関節の運動を促進する履き物の他の実施例の（ａ）は平常時（ｂ）は可動時（ｃ）は更にその他の実施例の平常時の要部断面図である。
【図６】
図６は武道家の歩行足裏の負荷状態のイメージ図である。
【図７】
図７は本発明の股関節の運動を促進する履き物の実施例での足裏の基準線を示すイメージ図である。
【図８】
図８は股関節と足の動きを表すイメージ図である。
【００２８】
【符号の説明】
１…履き物
２…底部
３…回動板
４…回動軸
５…回動板用規制機構
６…回動板用復帰機構
６ａ…戻りバネ
６ｂ…回動板側スプリング受け
６ｃ…底部側スプリング受け
１１…履き物
１２…底部
１３…ローラ
１３ａ…ローラ軸
１３ｂ…ローラスプリング受け
１３ｃ…カム
１３ｄ…カム頭
１４…ローラ用規制機構
１５…ローラ用復帰機構
１５ａ…戻りバネ
１５ｂ…戻りバネ
Ｘ…基準線
Ｘａ…中心線
Ｙ…交差点
Ｙａ…延長線
Ａ…足
Ａａ…足裏
Ａａａ…負荷部
Ｂ…股関節
【手続補正２】
【補正対象書類名】図面
【補正対象項目名】全図
【補正方法】変更
【補正の内容】
【図１】
2005006937.tif 000001
【図２】
2005006937.tif 000002
【図３】
2005006937.tif 000003
【図４】
2005006937.tif 000004
【図５】
2005006937.tif 000005
【図６】
2005006937.tif 000006
【図７】
2005006937.tif 000007
【図８】
2005006937.tif 000008